(57)【要約】【課題】外的なデータの書き換えや複製等の手法によるＩＤカードの複製やデータの改竄を防止すると共に、このようなＩＤカードの不正使用の発見を可能なＩＤカードを提供する。【解決手段】導電性材料によって形成された導電片の埋設状態によるコード表示手段を備え、このコード表示手段は、外側から目視できずないようにする。また、本ＩＤカードに、磁気ストライプやＩＣチップ等によるコード表示手段を併用させることにより、ＩＤカードの使用時において複数のコード表示手段内に記憶されている参照コードを照合する。【選択図】  図１
2004202717.tif 000002
【特許請求の範囲】
【請求項１】
導電性材料によって形成されたコード表示手段を備えることを特徴とするＩＤカード。
【請求項２】
前記コード表示手段は、外側から目視できないようにカード基材内に埋設されていることを特徴とする請求項１に記載のＩＤカード。
【請求項３】
前記コード表示手段は、予め設定された複数個の導電片の埋設状態によってコード表示するように構成されたことを特徴とする請求項２に記載のＩＤカード。
【請求項４】
前記複数個の導電片は同型であって、当該導電片が前記カード基材内における予め定められた複数の場所に埋設されているか否かによって所定のコードを表示するように形成されたことを特徴とする請求項３に記載のＩＤカード。
【請求項５】
前記導電片は複数種類の異型の導電片から構成され、前記カード基材における当該異型の導電片の並び方によって所定のコードを表示するように形成されたことを特徴とする請求項３に記載のＩＤカード。
【請求項６】
前記異型の導電片は、複数種類の幅の異なる複数の導電片によって構成されるバーコードを形成する請求項５に記載のＩＤカード。
【請求項７】
前記導電片によるコード表示手段と共に、前記カード基材の上に設けられた磁気的コード表示手段を備えることを特徴とする請求項４乃至６の何れか一項に記載のＩＤカード。
【請求項８】
前記導電片によるコード表示手段と共に、前記カード基材内にＩＣチップを備えることを特徴とする１乃至６の何れか一項に記載の請求項４乃至６の何れか一項に記載のＩＤカード。
【請求項９】
前記導電片によるコード表示手段と前記磁気的コード表示手段には、対応する参照コードが記録され、ＩＤカードの使用時において前記参照コードを照合することにより当該ＩＤカードをチェックすることを特徴とする請求項７に記載されたＩＤカードの使用方法。
【請求項１０】
前記導電片によるコード表示手段と前記ＩＣチップ内においては、対応する参照コードが記録され、ＩＤカードの使用時において前記参照コードを照合することにより当該ＩＤカードをチェックすることを特徴とする請求項８に記載されたＩＤカードの使用方法。
【発明の詳細な説明】
【０００１】
【産業上の利用分野】
本発明は、磁気カード、ＩＣカード等のＩＤカードに関し、特に、偽造困難なＩＤカードとＩＤカードの不正使用をチェックする方法に関する。
【０００２】
【従来の技術】
従来から、クレジットカードや銀行キャッシュカードとして、又は社員証、企業や研究機関等の敷地内や部屋の入退室管理等のために、本人認証の手段として磁気カードが広く利用されている。磁気カードには、口座番号等のアカウント番号や使用者の識別番号が磁気コードとして記憶されており、予め登録されているパスワードの併用により他人によるＩＤカードの不正使用を防止するようにしている。
【０００３】
近年では、ＩＣメモリやワンチップマイクロコンピュータ等のＩＣチップを搭載したＩＣカードも急速に普及してきている。ＩＣカードは、磁気カードと比較して大容量のデータを記憶させることが可能であることから使用者コード本人を認証するためのＩＤコードのみならず大容量のデータを記憶できるので、電子マネーや公共運輸機関の定期券等に利用されるに至っている。
【０００４】
【発明が解決しようとする課題】
しかしながら、磁気カードは、磁気的に記録されているコード情報を簡単に読み取ったり、書き込んだりすることが容易であることから、そこに記録されているコード情報を不正な手段によって読み取って改竄したり、同じコード情報を記録した磁気カードが容易に複製されてしまうという問題があった。
【０００５】
一方、ＩＣカードは、記憶容量が大きいことから偽造やデータの改竄を防ぐためのセキュリティ機能を組み込むことが可能であるが、ＩＣチップを搭載したＩＤカードや当該カードの読取装置は高価である。また、ＩＣチップ内に記憶されている情報をセキュリティ情報も含めてそのままコピーして記憶させたカードの複製や偽造は可能である。
【０００６】
本発明は、磁気カードやＩＣカード等に磁気的又は電気的に記録されているデータがコピーされてＩＤカードが容易に複製されることを防止するために、磁気カードやＩＣカードの製造時において、書き換え不可能なカード固有のコード情報をカード基板内に備えさせることにより不正なデータの改竄又は偽造複製行為を困難にしたＩＤカードを提供するものである。
【０００７】
【課題を解決するための手段】
上記課題を達成するために、本発明は、導電性材料によって形成されたコード表示手段を備えることを特徴とするＩＤカードを提供するものである。
【０００８】
ここで、前記コード表示手段は、外側から目視できないようにカード基材内に埋設されている。
【０００９】
前記コード表示手段は、予め設定された複数個の導電片の埋設状態によってコード表示するように構成されている。
【００１０】
本発明はＩＤカードに導電性インキによってコード表示手段を形成し、外側から目視できないように前記カード基材内に埋設したことにより、磁気ストライプやＩＣチップと組み合わせなくとも不正使用を防止するＩＤカードとして用いることが可能である。
【００１１】
さらに、前記複数個の導電片は同型であって、当該導電片が前記カード基材内における予め定められた複数の場所に埋設されているか否かによって所定のコードを表示するように形成されている。
【００１２】
前記導電片は複数種類の異型の導電片から構成され、前記カード基材における当該異型の導電片の並び方によって所定のコードを表示するように形成されている。
【００１３】
そして、前記異型の導電片は、複数種類の幅の異なる複数の導電片によって構成されるバーコードを形成しても良い。
【００１４】
さらに、本発明は、前記導電片によるコード表示手段と共に、前記カード基材の上に設けられた磁気的コード表示手段を備えることを特徴とする。
【００１５】
さらにまた、前記導電片によるコード表示手段と共に、前記カード基材内にＩＣチップを備えることを特徴とする。
【００１６】
前記導電片によるコード表示手段と前記磁気的コード表示手段には、対応する参照コードが記録され、ＩＤカードの使用時において前記参照コードを照合することにより当該ＩＤカードをチェックするのである。
【００１７】
さらに、前記導電片によるコード表示手段と前記ＩＣチップ内においては、対応する参照コードが記録され、ＩＤカードの使用時において前記参照コードを照合することにより当該ＩＤカードをチェックする。
【００１８】
ここで、本発明は、前記導電片によるコード表示手段とコード表示手段に対応する磁気的コード表示手段、ＩＣチップ内に参照コード情報を記録する。そして、ＩＤカードの読み取り時には、コード表示手段の参照コードと磁気記録情報及びＩＣチップ内に記録されている参照コードとの比較照合を行うことにより、正規に定められた参照コードを磁気記録情報及びＩＣチップ内に有さないカードは、前記導電片によるコード表示手段の参照コードとの比較照合結果が一致しないので不正使用としてチェックできる。
【００１９】
【発明の実施の形態】
以下、本発明の実施の形態例を図を参照しながら説明する。
【００２０】
図１は、本発明による第１の実施の形態における導電片によって形成されたコード表示手段２を備えるＩＤカード１の透視図を示す。図２は、図１に示すＩＤカード１のＸ−Ｘ間位置での断面図を示す。
【００２１】
ＩＤカード１に備えられたコード表示手段２は、外側から目視できないようにカード基材３内に埋設されている。コード表示手段２は、予め設定された複数個の導電片の埋設状態によってコード表示（任意の形状を有する導電片の組み合わせの他、ＪＡＮコード３９等のバーコード、２次元コード等）するように構成される。
【００２２】
図２に示すように、ＩＤカード１は、一方の面である表面にデザイン印刷を施し、他方の面の裏面にコード表示手段２を配置するカード基材３と、カード基材３の裏面に設けられたコード表示手段２を、白色の保護シート４と、カード基材３の表面と保護シート４を覆う透明の２枚のオーバーシート５、６とから成る４層構造となっている。このオーバーシート５、６は、印刷面を保護するとともにカード基材３、白色のポリ塩化ビニル板からなる保護シート４を接着する機能を有している。このように、所定のコード表示をするための導電片は、カード基材３と保護シート４の間に挟まれているので、カードの外側からは目視できないように構成されている。
【００２３】
ＩＤカード１のカード基材３、保護シート４、オーバーシート５、６は、プラスチックフィルムであり、ポリ塩化ビニルに限らず、ポリカーボネート、ポリプロピレン、ポリエチレンテレフタレート（ＰＥＴ）、ポリエチレンナフタレート（ＰＥＮ）、非結晶ＰＥＴ（ＰＥＴＧ）などの合成樹脂フィルムを使用しても良い。
【００２４】
また、フィルム、電子部品を接着するための接着剤は、ポリエチレン系、二トリルゴム系、アクリル系、ポリイミド系、エポキシ系等があり必要に応じて適宜選択して用いる。
【００２５】
本実施の形態例においては、カード基材３には厚さ０．２８ｍｍのポリ塩化ビニル板を用い、導電片（導電コード表示手段２）として銀の粉末を樹脂バインダ中に分散した導電インキをスクリーン印刷することにより形成した。導電インキとしては、銀以外に導電性カーボン、銅、アルミニウム、鉄、ニッケル等の粉末を分散したインキが使用可能である。
【００２６】
ここで、導電コード表示手段２の生成は、スクリーン印刷以外にグラビア印刷、オフセット印刷、導電金属箔のエッチング、導電性材料を含むフィルム状部材の熱転写などで形成する方法であっても良い。
【００２７】
本発明においては、導電片としての導電コード表示手段２の形状及びサイズは、特に限定はしないが、導電片検知装置により読み取られるサイズであれば良い。長手方向の長さが５乃至１０ｍｍ程度の矩形なバーで構成されたバーコードの形状とする。本発明においては、導電片の材質としては非磁性体物質又は磁性体物質を問わない。導電片検知装置については後述するが、その読取方式により如何なる種類の導電性材料であっても対応可能である。
【００２８】
本発明に係る導電片によるコード表示手段２は、予め定められた所定の形状の導電片の配置位置の組み合わせによってコード表示する。その実施の形態の例を以下説明する。
【００２９】
図１に示すとおり、導電片によるコード表示手段２は複数の導電片からなり、第１の例として複数個の導電片は同型であって、当該導電片がカード基材３内における予め定められた複数の場所に埋設されているか否かによって所定のコードを表示するように形成されている。ここでは、複数の正方形の導電片が使用されその導電片の配置位置によって所定のコードを表示するように形成されている。
【００３０】
ところで、導電片によるコード表示手段２の形状は、複数種類の異型の導電片から構成され、カード基材３に配設する当該異型の導電片の並び方によって、所定のコードを表示するように形成するようにしても良い。また、このような異型の導電片は、複数種類の幅の異なる複数の導電片によって構成されるバーコードであっても良い。
【００３１】
図３は、このようなバーコード状に配列された導電片によるコード表示の例を示す。導電片をバーコード状にする場合、導電片の検知装置の検知精度に応じて、ＪＡＮコード、ＮＷ７規格に基づくコード、コード３９等の何れであっても良く、所定規格の２次元コードであっても良い。
【００３２】
導電片によるコード表示としてバーコード形状のものを使用した場合、バーの太さ及びバーの配置によりバーコード状の導電片を検知装置によって読み取ることができれば読取データをコード変換するのは、従来の光学的バーコード読取方法におけるコード変換方法をそのまま利用できることとなる。本発明においては導電性インキで印刷した導電片をカード基材３内の所定の位置に埋設されており、これを磁気方式、静電方式等による導電片検知装置を用いて読み取るようにしている。
【００３３】
カード基材３の中に埋め込まれた導電片を読み取る導電片検知手段としては、複数種類の方式が利用できる。第１の例としては対向する２枚の電極間の静電容量が対向面積や間隔に依存して変化するのでこの変位を検知する静電読取方式がある。第２の例としては、導電片が磁性体金属で形成されている場合、導電片に対して磁気を帯びたコアを近づけることにより生じる吸引力を検知するようにした磁気力読取方式がある。第３の例としては、検知手段の先端部に交番磁束を発生させるコイルを設け、導電片において生じる渦電流からの微小な起電力を検知するようにした磁性読取方式等がある。
【００３４】
次に、本発明に係る導電片を埋設した第１の実施形態例におけるＩＤカードの製造及び構成について説明する。
【００３５】
図２に示すように、ＩＤカードのカード基材３は、例えば、厚さ０．２８ｍｍの白色ポリ塩化ビニル板３で構成されている。カード基材３の表側になる一方の面には、デザイン印刷を行い、他方の面（裏面側）には本発明の導電コード２が印刷されている。導電コード２が印刷された他方の面には、例えば厚さ０．２８ｍｍの白色ポリ塩化ビニル板４が重ねられる。さらに、カード基材３のデザイン印刷をした面側と白色ポリ塩化ビニル板４に、それぞれ厚さ０．１ｍｍ程度の透明ポリ塩化ビニルオーバーシート５、６が重ねられる。
【００３６】
そして、このオーバーシート５、６が重ねられた状態で熱プレスによりラミネート加工されることとなる。最後に、所定の寸法に打ち抜くことによって導電片２がカード基材３の中に埋め込まれた構成のＩＤカード１を得ることができる。
【００３７】
このように構成された本発明に係るＩＤカードは、外部から目視できない導電片によるコード表示手段を有するカードとしてそのまま使用されても良いが、他のコード表示手段を兼用させることで本ＩＤカードのセキュリティ機能が飛躍的に強化されることとなるのである。
【００３８】
本発明に係るＩＤカード１に組み込まれる他のコード表示手段の例としては、コードを磁気的に記憶するための磁気ストライプ７が配置された磁気カードとする。そして、本ＩＤカードの磁気ストライプは、専用の磁気ヘッドを配置した磁気式読取方式により読み取られる。
【００３９】
本発明に係るＩＤカード１に組み込まれる他のコード表示手段の例としては、ＩＣチップがカード基板内に組み込まれたＩＣカードとする。ＩＣチップ内のメモリは、専用のＩＣカード読取／書込装置によりデータ又はコードがリード／ライトされることとなる。
【００４０】
このように、本ＩＤカードにおいては、導電片によるコード表示手段の他に他のコード表示手段を組み入れることにより本ＩＤカードの偽造や複製を防止すると共に、偽造又は複製されたカードの発見を容易にしているのである。つまり、本ＩＤカード１においては、カードの外部から目視できないようにカード内に埋設された導電片によるコード表示と、磁気ストライプやＩＣチップ等の他のコード表示手段に記録されたコード（例えば、ＩＤコード等の参照コード）を照合し、両方の表示手段において表示されている参照コードが一致した場合のみ、カード使用を許可するようにするのである。両方の表示手段において表示されている参照コードが不一致の場合には当該カードの使用を不許可とすることで、ＩＤカードの改竄又は偽造複製行為を防止しＩＤカードの不正使用を防止することを実現したのである。
【００４１】
図４は、導電片によるコード表示手段の他のコード表示手段として磁気ストライプを施した第２の実施例の形態例であるＩＤカード１０の透視図を示す。図５は、図４に示すＩＤカード１のＹ−Ｙ間位置での断面図を示す。ここでは、第１の実施形態で説明したＩＤカード１の構成に、ＩＤカード１の一方端側の表面、及び／又は、裏面に、磁気的にデータを記録するための磁気ストライプ７が設けられている。そして、この磁気ストライプ７には、例えば、当該ＩＤカードのＩＤコードその他のコードが記録されている。
【００４２】
ここで、本発明の第２の実施の形態である磁気ストライプを有する本ＩＤカード１０の構成と製造方法について説明する。カード基材３は、厚さ０．２８ｍｍの白色ポリ塩化ビニル板３である。
【００４３】
先ず、カード基材３の表側になる一方の面にデザイン印刷を、他方の面に本発明の導電コード２を印刷する。次に、導電コード２が印刷された他方の面に厚さ０．２８ｍｍの白色ポリ塩化ビニル板４を重ね、さらに白色ポリ塩化ビニル板３、４の外側にはそれぞれ厚さ０．１ｍｍの透明ポリ塩化ビニルオーバーシート５、６を重ねる。
【００４４】
ここで、透明ポリ塩化ビニルオーバーシート５、６いずれか一方（又は両方）には、データを記録する磁気ストライプ７（磁気的コード表示手段）を付設する。
【００４５】
これらの重ねたシートを熱プレスを用いてラミネートし、所定の寸法に打ち抜くことによって導電コード２がカード基材３の中に埋め込まれ磁気ストライプ７が付与されたＩＤカード１０を得ることができる。
【００４６】
導電片によるコード表示手段２と磁気コード表示手段７には、対応する参照コードが記録されている。ＩＤカード１０の使用時においては、読み取ったコード表示手段２に記録された参照コードと、磁気ストライプ７に記録されている参照コードとを照合して検証を行い参照コードの一致を検証することにより正規のカードであることをチェックする。
【００４７】
図６は、本発明の第３の実施の形態であるＩＣチップを有する本ＩＤカード２０の透視図を示す。図７は、図６に示したＩＤカード２０の構成のＺ−Ｚ間位置での断面図を示す。
【００４８】
ＩＣチップを有する本ＩＤカード２０は、図１に示したＩＤカード１にＩＣメモリやワンチップコンピュータ等のＩＣチップをカード基材３上に搭載させる。本ＩＤカード２０は、外側から目視できないようにカード基材３内に埋設されている導電片によるコード表示手段２と、大量のデータや情報等を記録可能なＩＣチップ８が設けられている。ＩＤカード２０のカード基材３等の材質、構成及び製造方法は、上記したとおりである。
【００４９】
ＩＣチップを搭載する本発明の第３の実施の形態例においては、上記の第１の実施の形態例において説明したＩＤカード１の製造方法によって得られたＩＤカード１に、ＩＣチップ８を埋め込むためのミリング穴９を図７の断面図に示すようにミリングする。第３の実施の形態例ＩＤカード２０は、ミリングしたミリング穴９にＩＣチップ８を接着剤を用いて接着装填した構成となっている。
【００５０】
ＩＣチップ８は、ＣＰＵと、データを電気的に記憶する不揮発性半導体メモリと、外部装置とデータデータの送受信を行う接点と、不揮発性半導体メモリ間のデータの移動を制御するための制御回路と（図示せず）、で構成された公知のものである。外部の非接触型データ読取／書込装置とデータ記録部のデータ書き込み読み出しは、接点を介してＣＰＵ、メモリ、制御回路で制御することにより行なわれる。
【００５１】
磁気ストライプの場合と同様に、導電片によるコード表示手段２とＩＣチップ８内には、対応する参照コードが記録されている。この形態のＩＤカード２０使用時においては、読み取ったコード表示手段２の参照コードと、ＩＣチップ８内に記録されている参照コードに基づき照合して検証を行い参照コードが一致した正規のＩＤカード２０であるか否かをチェックする。
【００５２】
なお、本発明によるＩＣチップ８を備えたＩＤカード２０は、図６に示したような接点付きＩＣチップ８の使用に限らず、外部に接点を有さずアンテナを介して電波によって情報を読み取り、書き込みする非接触型ＩＣチップを有するＩＤカード２０であっても良い。
【００５３】
さらにまた、本ＩＤカード２０には、ＩＣチップの他に、さらに磁気ストライプ７を設けても良い。すなわち、ＩＤカード２０は、ＩＤカード２０に埋設された目視できない導電コード２と、磁気ストライブ７と、ＩＣチップ８とを備えたものである。これにより、ＩＤカードの偽造又は複製はさらに困難になりセキュリティ機能は益々高められることとなる。
【００５４】
図８は、ＩＤカード２０のカード読取書込装置５０を説明するための概略ブロック図を示す。カード読取書込装置５０は、ＩＤカードの読み取りを制御し、データの演算処理を行うＣＰＵ装置５４と、ＣＰＵ装置５４に接続された磁気ストライプ読取書込装置５１、ＩＣチップ読取書込装置５２及び導電コード読取装置５３とで構成されている。
【００５５】
図９は、磁気ストライプ情報及びＩＣ情報を記録する処理のフローチャートを示す。ここで、図９に示す磁気ストライプ７及びＩＣチップ８への情報書込（エンコード）処理について説明する。
【００５６】
まず、カード読取書込装置５０に接続された導電コード読取装置５３によってＩＤカード１、１０、２０に埋設された導電コード２の情報を読み取る（ＳＴ１）。
【００５７】
ＣＰＵ装置本体５４は、ＩＤカード所持者の氏名等の特定データに基づき上位装置（図示せず）から送信された磁気ストライプ７又はＩＣチップ８に記録されるべき元データ（クレジットカードであれば氏名やクレジットカード番号、プリペイドカードであれば金額情報など）を受信する（ＳＴ２）。ＣＰＵ装置本体５４は、受信した元データに該導電コード情報を付加してエンコード情報を生成する（ＳＴ３）。生成したエンコード情報を磁気ストライプ読取書込装置５１、ＩＣチップ読取書込装置５２により磁気ストライプ７及びＩＣチップ８に書込処理（エンコード）を行なう（ＳＴ４）。
【００５８】
なお、エンコードデータは、磁気ストライプ７やＩＣチップ８の情報を読み取ったときに、元データと該導電コード２の参照コードデータが容易に判別できないように元データと導電コードデータをもとに何らかの演算処理（例えば、暗号処理）によって生成することが好ましい。これによりＩＤカード１、１０、２０の不正使用を防止することができる。
【００５９】
次に、図１０に基づきＩＤカード１、１０、２０の読み取りについて説明する。図１０は、ＩＤカード１、１０、２０の読取処理のフローチャートを示す。
【００６０】
本発明は、ＩＤカード１、１０、２０の読み取りにおいて、磁気ストライプ情報、ＩＣチップ情報及び導電コード情報の参照コードを照合してＩＤカード１、１０、２０をチェックする方法である。
【００６１】
ＩＤカード１、１０、２０読み取りは、カード読取書込装置５０により磁気ストライプ７、ＩＣチップ８にエンコードされた情報及び導電コード２の読み取りを行う（ＳＴ１０、ＳＴ２０、ＳＴ３０）。
【００６２】
読み取った磁気ストライプ７及びＩＣチップ８のエンコード情報から該導電コード情報を付加した部分を取り出し参照コードを算出する演算を行い（ＳＴ１１、ＳＴ２１、ＳＴ３１）、読み取った導電コード情報の参照コードと一致するか否かを照合する（ＳＴ１２）。参照コードが一致した場合は、ＩＤカード１、１０、２０の使用が許可される（ＳＴ１３）。参照コードが不一致の場合はＩＤカード１、１０、２０の使用が拒絶される（ＳＴ１４）。
【００６３】
もし、あるＩＤカード１、１０、２０のエンコード情報を不正に他のバーコード情報の異なるＩＤカードへそのまま複写した場合は、導電コード情報が不一致となるので偽造等の不正使用の発見が可能となる。
【００６４】
【発明の効果】
以上詳しく説明したように、本発明に係るＩＤカードには、導電性材料によって形成された導電片の配列状態によるコード表示手段を備える。このコード表示手段は、外側から目視できないようにカード基材内に埋設されていることから、外的なデータの書き換えや複製等の手法によるＩＤカードの複製やデータの改竄を防止すると共に、このようなＩＤカードの不正使用の発見を可能にしている。
【００６５】
そして、本ＩＤカードに磁気ストライプやＩＣチップ等によるコード表示手段を併用させることにより、ＩＤカードの使用時において複数のコード表示手段内に記憶されている参照コードを照合できるのでＩＤカードの不正使用の防止及び発見を実現したのである。
【図面の簡単な説明】
【図１】本発明に係る第１の実施の形態におけるＩＤカードの透視図を示す。
【図２】図１に示すＩＤカードのＸ−Ｘ間位置の断面図を示す。
【図３】本発明に係るバーコード例の正面図を示す。
【図４】本発明に係る第２の実施の形態におけるＩＤカードの透視図を示す。
【図５】図４に示すＩＤカードのＹ−Ｙ間位置での断面図を示す。
【図６】本発明に係る第３の実施の形態例におけるＩＤカードの透視図を示す。
【図７】図６に示したＩＤカードの構成のＺ−Ｚ間位置での断面図を示す。
【図８】本発明に係るＩＤカードのカード読取書込装置を説明するための概略ブロック図を示す。
【図９】本発明に係る磁気ストライプ情報及びＩＣ情報を記録する処理のフローチャートを示す。
【図１０】本発明に係るＩＤカードの読取処理のフローチャートを示す。
【符号の説明】
１  ＩＤカード
２  導電片（コード表示手段）
３  カード基材（白色塩化ビニル製センターコア材）
４  保護シート（白色塩化ビニル製センターコア材）
５  オーバーシート（表側）
６  オーバーシート（裏側）
７  磁気ストライプ
８  ＩＣチップ
９  ミリング穴
５０  カード読取書込装置
５１  磁気ストライプ読取書込装置
５２  ＩＣチップ読取書込装置
５３  導電コード読取装置
５４  情報処理・演算装置
【図１】
2004202717.tif 000003
【図２】
2004202717.tif 000004
【図３】
2004202717.tif 000005
【図４】
2004202717.tif 000006
【図５】
2004202717.tif 000007
【図６】
2004202717.tif 000008
【図７】
2004202717.tif 000009
【図８】
2004202717.tif 000010
【図９】
2004202717.tif 000011
【図１０】
2004202717.tif 000012